(57)【要約】【課題】フロントキャビネットの額縁領域を狭くすることが可能な表示装置を提供する。【解決手段】このテレビジョン装置（表示装置）１００は、前面に表示面１１ａを有する液晶セル１１と、表示面１１ａの周縁を取り囲む枠状の額縁部２１と、額縁部２１から奥行き方向に延びる突出部２３とを含むフロントキャビネット２と、フロントキャビネット２が固定されるリアフレーム１６とを備える。フロントキャビネット２の突出部２３は、ビス４により奥行き方向と交差する方向の外側から内側へ向けてリアフレーム１６に固定される固定部４２を有する。【選択図】図３
2015125422.tif 000002
【特許請求の範囲】
【請求項１】
前面に表示面を有する表示部と、
前記表示面の周縁を取り囲む枠状の額縁部と、前記額縁部から奥行き方向に延びる突出部とを含むフロントキャビネットと、
前記フロントキャビネットが固定される内部フレームとを備え、
前記フロントキャビネットの前記突出部は、締結部材により前記奥行き方向と交差する方向の外側から内側へ向けて前記内部フレームに固定される固定部を有する、表示装置。
【請求項２】
前記フロントキャビネットの外周縁部と連続するように設けられたリアキャビネットをさらに備え、
前記突出部は、前記リアキャビネットの内側で、かつ、前記外周縁部と前記表示部との間の位置に設けられている、請求項１に記載の表示装置。
【請求項３】
前記固定部は、前記表示部よりも前記奥行き方向の奥側の位置に配置され、前記表示部よりも奥側の位置で前記内部フレームに固定されている、請求項１または２に記載の表示装置。
【請求項４】
前記固定部は、前記突出部の前記額縁部との接続部分である根元部に対して、前記奥行き方向と交差する方向の内側にずれた位置に配置されている、請求項３に記載の表示装置。
【請求項５】
前記突出部は、前記根元部から前記奥行き方向に直線状に延びるとともに、前記表示部の配置位置よりも奥側の位置において、前記固定部に向かって前記奥行き方向と交差する内側方向に突出する段差部または前記内側方向に屈曲する屈曲部を有する、請求項４に記載の表示装置。
【請求項６】
前記表示部を保持するとともに、前記フロントキャビネットの内側に配置される保持部材をさらに備え、
前記保持部材は、前記固定部に向かって前記奥行き方向と交差する外側方向に突出する凸部を有し、前記凸部が前記突出部と当接することにより、前記突出部の前記額縁部との接続部分である根元部に対して離間した状態で配置されている、請求項３に記載の表示装置。
【請求項７】
前記突出部は、前記額縁部から前記奥行き方向に延びるリブ状形状を有し、
前記突出部のうち前記固定部の近傍には、前記突出部の前記奥行き方向と交差する方向への撓み変形を容易化する肉抜き部が設けられている、請求項４〜６のいずれか１項に記載の表示装置。
【請求項８】
前記肉抜き部は、前記突出部に設けられた切り込み形状の切欠部、および、前記突出部において前記固定部の近傍に形成された溝部の少なくとも一方を含む、請求項７に記載の表示装置。
【請求項９】
前記フロントキャビネットは、前記内部フレームと係合することにより、前記締結部材による締結時の前記フロントキャビネットの回転位置ずれを規制する係合部を有する、請求項１〜８のいずれか１項に記載の表示装置。
【請求項１０】
前記突出部は、前記フロントキャビネットに一体的に形成され、
前記固定部は、前記突出部において前記奥行き方向と直交する方向に向かう貫通孔を有し、前記貫通孔に前記締結部材の軸部分を通過させた状態で前記締結部材により前記内部フレームに固定されるように構成されている、請求項１〜９のいずれか１項に記載の表示装置。
【発明の詳細な説明】
【技術分野】
【０００１】
この発明は、表示装置に関し、特に、フロントキャビネットを備える表示装置に関する。
【背景技術】
【０００２】
従来、フロントキャビネットを備える表示装置が知られている（たとえば、特許文献１参照）。
【０００３】
上記特許文献１には、表示部と、表示部の周縁部を取り囲むフロントキャビネットと、表示部およびフロントキャビネットの後側を覆うリアキャビネットとを備えた表示装置が開示されている。フロントキャビネットは、表示部の周縁部を取り囲む枠状部分（いわゆる額縁領域）において、フロントキャビネットに向かう方向（前後方向）に向けた締結部材（ねじ）をリアキャビネット側から取り付けるためのねじ孔を有している。そして、リアキャビネットとともに締結部材をフロントキャビネットの額縁領域のねじ孔に取り付ける共締めにより、フロントキャビネットが前後方向に固定されている。
【先行技術文献】
【特許文献】
【０００４】
【特許文献１】特開２０１３−１７１５４号公報
【発明の概要】
【発明が解決しようとする課題】
【０００５】
ここで、表示装置の分野では、表示装置の外形寸法に対して表示面の占める領域を大きくするため、フロントキャビネットの額縁領域を狭くする狭額縁化が望まれている。しかしながら、上記特許文献１では、フロントキャビネットを締結部材により前後方向から固定するために、少なくとも締結部材の頭部の最大外径程度の空間分の領域をフロントキャビネットの額縁領域に確保しなければならず、その分だけ額縁領域の幅が大きくなる。その結果、額縁領域を狭くすることが困難であるという問題点がある。
【０００６】
この発明は、上記のような課題を解決するためになされたものであり、この発明の１つの目的は、フロントキャビネットの額縁領域を狭くすることが可能な表示装置を提供することである。
【課題を解決するための手段】
【０００７】
この発明の一の局面による表示装置は、前面に表示面を有する表示部と、表示面の周縁を取り囲む枠状の額縁部と、額縁部から奥行き方向に延びる突出部とを含むフロントキャビネットと、フロントキャビネットが固定される内部フレームとを備え、フロントキャビネットの突出部は、締結部材により奥行き方向と交差する方向の外側から内側へ向けて内部フレームに固定される固定部を有する。
【０００８】
この発明の一の局面による表示装置では、上記のように、額縁部から奥行き方向に延びる突出部をフロントキャビネットに設けるとともに、フロントキャビネットの突出部に、締結部材により奥行き方向と交差する方向の外側から内側へ向けて内部フレームに固定される固定部を設けることによって、奥行き方向（前後方向）と交差する内側方向に向けて締結部材を取り付けて、フロントキャビネットを内部フレームに固定することができる。この場合には、締結部材の軸線方向を額縁部の幅方向（奥行き方向（前後方向）と交差する内側方向）に向けることができるため、締結部材を前後方向に向けて固定する場合と異なり、締結部材の頭部の最大外径以上の空間を額縁部に設ける必要がなくなる。これにより、より小さな空間を額縁部に確保するだけで、フロントキャビネットの締結固定が可能となるので、フロントキャビネットの額縁領域を狭くすることができる。
【０００９】
上記一の局面による表示装置において、好ましくは、フロントキャビネットの外周縁部と連続するように設けられたリアキャビネットをさらに備え、突出部は、リアキャビネットの内側で、かつ、外周縁部と表示部との間の位置に設けられている。このように構成すれば、締結部材を奥行き方向と交差する側方に取り付ける構成においても、締結部材をフロントキャビネットおよびリアキャビネットの外表面に露出させずに済む。すなわち、フロントキャビネットおよびリアキャビネットは表示装置の化粧板としての機能を有し、表示面側の前面および上下左右の各側面は外観デザイン上の影響が大きいため、外観に影響を及ぼすことなくフロントキャビネットを固定できる点に利点がある。さらに、締結部材がフロントキャビネットから誤って取り外されてしまうことを防止することができる。
【００１０】
上記一の局面による表示装置において、好ましくは、固定部は、表示部よりも奥行き方向の奥側の位置に配置され、表示部よりも奥側の位置で内部フレームに固定されている。このように構成すれば、固定部において締結部材を取り付ける場合に、正面視で締結部材が表示部と重なるように、より内側の位置に締結部材を配置することができる。この結果、締結部材のために額縁部に確保する空間をより小さく（狭く）することができるので、フロントキャビネットの額縁領域をさらに狭くすることができる。
【００１１】
この場合、好ましくは、固定部は、突出部の額縁部との接続部分である根元部に対して、奥行き方向と交差する方向の内側にずれた位置に配置されている。このように構成すれば、狭額縁化のために突出部（根元部）の内側に表示部が近接して配置される場合でも、固定部と根元部とのずれ分だけ、根元部の内側（表示部側）に空間を確保することができる。この結果、製造時の寸法誤差などによってフロントキャビネットの外形寸法にばらつきが生じる場合でも、組付状態で突出部（根元部）が表示部を圧迫して表示ムラなどが生じることを防ぐことができる。
【００１２】
上記固定部が根元部に対して内側にずれた位置に配置される構成において、好ましくは、突出部は、根元部から奥行き方向に直線状に延びるとともに、表示部の配置位置よりも奥側の位置において、固定部に向かって奥行き方向と交差する内側方向に突出する段差部または内側方向に屈曲する屈曲部を有する。このように構成すれば、少なくとも表示部よりも奥側の位置までは突出部が直線状に形成されるため、根元部の内側（表示部側）に確保される空間を最大限大きくすることができる。
【００１３】
上記固定部が表示部よりも奥側の位置に配置され内部フレームに固定される構成において、好ましくは、表示部を保持するとともに、フロントキャビネットの内側に配置される保持部材をさらに備え、保持部材は、固定部に向かって奥行き方向と交差する外側方向に突出する凸部を有し、凸部が突出部と当接することにより、突出部の額縁部との接続部分である根元部に対して離間した状態で配置されている。このように構成すれば、狭額縁化のために突出部（根元部）の内側に保持部材（表示部）が近接して配置される場合でも、保持部材が根元部から離間する分（すなわち、凸部の突出量）だけ、根元部の内側（保持部材側）に空間を確保することができる。この結果、製造時の寸法誤差などによってフロントキャビネットの外形寸法にばらつきが生じる場合でも、組付状態で突出部（根元部）が保持部材を介して表示部を圧迫して表示ムラなどが生じることを防ぐことができる。
【００１４】
上記固定部が根元部に対して内側にずれた位置に配置される構成において、好ましくは、突出部は、額縁部から奥行き方向に延びるリブ状形状を有し、突出部のうち固定部の近傍には、突出部の奥行き方向と交差する方向への撓み変形を容易化する肉抜き部が設けられている。このように構成すれば、固定部においてフロントキャビネットを締結固定する場合に、突出部を撓み変形させた状態でフロントキャビネットを固定することができる。この結果、製造時の寸法誤差などによってフロントキャビネットの外形寸法にばらつきが生じる場合でも、突出部の撓み変形によって寸法ばらつきを吸収することができるので、精度管理に余裕を持たせて製造の容易化を図ることができる。
【００１５】
この場合、好ましくは、肉抜き部は、突出部に設けられた切り込み形状の切欠部、および、突出部において固定部の近傍に形成された溝部の少なくとも一方を含む。このように構成すれば、突出部の材質を変化させたり、突出部の肉厚を変化させたりする場合と異なり、リブ形状の突出部に切欠部や溝部を形成するだけの簡単な構造で、突出部の撓み変形の容易化を実現することができる。
【００１６】
上記一の局面による表示装置において、好ましくは、フロントキャビネットは、内部フレームと係合することにより、締結部材による締結時のフロントキャビネットの回転位置ずれを規制する係合部を有する。このように構成すれば、締結時の回転方向の外力によってフロントキャビネットが締結部材の回転方向に位置ずれしてしまうことを防ぐことができるので、フロントキャビネットの側面側から締結部材を取り付ける構成においても、取付作業を容易化することができる。
【００１７】
上記一の局面による表示装置において、好ましくは、突出部は、フロントキャビネットに一体的に形成され、固定部は、突出部において奥行き方向と直交する方向に向かう貫通孔を有し、貫通孔に締結部材の軸部分を通過させた状態で締結部材により内部フレームに固定されるように構成されている。このように構成すれば、フロントキャビネットに突出部および固定部を一体形成することができるので、たとえば突出部および固定部を有する別体の固定部材をフロントキャビネットに取り付けるような構成と比較して、部品点数および組立工数の増大を抑制することができる。
【発明の効果】
【００１８】
本発明によれば、上記のように、フロントキャビネットの額縁領域を狭くすることが可能な表示装置を提供することができる。
【図面の簡単な説明】
【００１９】
【図１】本発明の第１〜第４実施形態によるテレビジョン装置を前方から見た全体斜視図である。
【図２】本発明の第１実施形態によるテレビジョン装置を後方から見た分解斜視図である。
【図３】突出部を説明するための図５の５００−５００線に沿ったテレビジョン装置の拡大断面図である。
【図４】フロントキャビネットとリアフレームとの固定箇所を拡大して示した模式的な分解斜視図である。
【図５】フロントキャビネットをリアフレームに固定した状態の突出部および係合部を示した模式的な斜視図である。
【図６】係合部を説明するための図５の６００−６００線に沿ったテレビジョン装置の拡大断面図である。
【図７】フロントキャビネットが設計よりも大きく仕上がった場合の段差部の変形を説明するための模式的な拡大断面図である。
【図８】フロントキャビネットが設計よりも小さく仕上がった場合の段差部の変形を説明するための模式的な拡大断面図である。
【図９】本発明の第２実施形態によるテレビジョン装置の突出部を説明するための模式的な拡大断面図である。
【図１０】本発明の第３実施形態によるテレビジョン装置の突出部および係合部を示した模式的な斜視図である。
【図１１】本発明の第４実施形態によるテレビジョン装置の突出部を説明するための模式的な拡大断面図である。
【図１２】本発明の第１実施形態によるテレビジョン装置の第１変形例によるフロントキャビネットを説明するための模式的な拡大断面図である。
【図１３】本発明の第１実施形態によるテレビジョン装置の第２変形例によるフロントキャビネットを説明するための模式的な拡大断面図である。
【図１４】本発明の第１実施形態によるテレビジョン装置の第３変形例によるモールドフレームを説明するための模式的な拡大断面図である。
【発明を実施するための形態】
【００２０】
以下、本発明の実施形態を図面に基づいて説明する。
【００２１】
（第１実施形態）
図１〜図６を参照して、本発明の第１実施形態によるテレビジョン装置１００の構成について説明する。なお、テレビジョン装置１００は、本発明の「表示装置」の一例である。
【００２２】
本発明の第１実施形態によるテレビジョン装置１００は、図１に示すように、表示モジュール１と、表示モジュール１を収容するフロントキャビネット（前側筐体）２およびリアキャビネット（後側筐体）３とを備えている。
【００２３】
図２および図３に示すように、表示モジュール１は、前面に表示面１１ａを有する液晶セル１１（図３参照）と、液晶セル１１を保持するモールドフレーム１２と、各種の光学シート１３と、反射シート１４と、光源部１５（図２参照）と、リアフレーム１６とを含んでいる。フロントキャビネット２は、表示モジュール１の周縁部を前面側から覆うように設けられ、リアフレーム１６に固定されている。また、リアキャビネット３（図３参照）は、表示モジュール１（リアフレーム１６）の背面側を覆うように設けられ、リアフレーム１６に固定されている。液晶セル１１は、本発明の「表示部」の一例である。また、リアフレーム１６は、本発明の「内部フレーム」の一例である。また、モールドフレーム１２は、本発明の「保持部材」の一例である。なお、図２ではリアキャビネット３の図示を省略している。以下では、テレビジョン装置１００の表示面１１ａ側を前方（Ｙ１方向）とし、前方の逆方向を後方または奥側（Ｙ２方向）として説明し、この前方および後方に沿う方向を奥行き方向（Ｙ方向）とする。また、この奥行き方向と直交する方向（表示面１１ａに沿う上下のＺ方向および左右のＸ方向）を側方という。
【００２４】
図３に示すように、表示モジュール１の液晶セル１１は、モールドフレーム１２の前面側に保持されている。モールドフレーム１２は、樹脂製の枠状部材であり、液晶セル１１の他、背面側に光学シート１３を保持する。モールドフレーム１２は、フロントキャビネット２の内側に配置される。光学シート１３は、拡散板やその他の機能性シートなどであり、複数設けられている。反射シート１４は、光学シート１３の背面側に配置され、光源部１５から出射された光を反射シート１４側に反射させるように構成されている。図２に示すように、光源部１５は、複数のＬＥＤからなる光源１５ａを含む。個々の光源１５ａは、反射シート１４の後方から開口１４ａを通過して反射シート１４の前側に配置される。テレビジョン装置１００は、光源部１５が液晶セル１１の背面側に配置された、いわゆる直下型照明タイプの液晶テレビジョン装置である。
【００２５】
リアフレーム１６は、板金製であり、表示モジュール１の後側を覆うように形成されている。このリアフレーム１６には、フロントキャビネット２およびリアキャビネット３や、チューナ部（図示せず）を含む回路基板（図示せず）などが取り付け固定される。図２および図４に示すように、第１実施形態では、リアフレーム１６の外周縁部には、フロントキャビネット２を固定するためのねじ孔１６ａと、係合凸部１６ｂとが設けられている。具体的には、図３および図４に示すように、リアフレーム１６は、外周縁部において奥行き方向（Ｙ方向）に立ち上がるように曲げられた起立部１６ｃを有している。この奥行き方向への起立部１６ｃに対して、奥行き方向と直交する側方（Ｘ方向またはＺ方向）に貫通するねじ孔１６ａと、外側方向に突出する係合凸部１６ｂ（図６参照）とが形成されている。
【００２６】
図２に示すように、フロントキャビネット２は、樹脂成型品であり、全体として表示モジュール１に対応する矩形枠状に形成されている。図３に示すように、フロントキャビネット２は、表示面１１ａ（表示モジュール１）の周縁を取り囲む矩形枠状の額縁部２１（図１参照）と、額縁部２１の外周縁部から奥行き方向（Ｙ方向）に延びる外周壁部２２と、額縁部２１から奥行き方向に延びる突出部２３と、リアフレーム１６の係合凸部１６ｂと係合する係合部２４（図６参照）とを一体的に含んでいる。第１実施形態では、フロントキャビネット２の突出部２３に、ビス４により奥行き方向と交差（直交）する側方方向の外側から内側へ向けてリアフレーム１６に固定される固定部４２が設けられている。なお、ビス４は、本発明の「締結部材」の一例である。また、外周壁部２２は、本発明の「外周縁部」の一例である。図２において、ビス４の取り付け方向を一点鎖線Ｓｃにより示す。
【００２７】
額縁部２１は、図１に示すように、フロントキャビネット２の前面部分を構成する矩形枠状部分であり、液晶セル１１を含む表示モジュール１を前面側から保持している。外周壁部２２は、図３に示すように、矩形枠状の額縁部２１の外周縁部に沿って奥側（Ｙ２方向）に延びる周状の壁部分であり、フロントキャビネット２の側面部分（上下および左右側面）を構成している。この外周壁部２２にリアキャビネット３の周状の側壁部３１が嵌め込まれることにより、フロントキャビネット２とリアキャビネット３とが互いに連続した筐体を構成している。
【００２８】
図２に示すように、突出部２３と係合部２４とは、矩形枠状の額縁部２１から奥行き方向に突出する（図３参照）ように設けられているとともに、それぞれ、額縁部２１の下辺を除く３辺に、複数ずつ形成されている。第１実施形態では、突出部２３と係合部２４とはセット（図４および図５参照）で設けられ、額縁部２１の左右の各辺にそれぞれ３組ずつ、額縁部２１の上辺に５組、各セットが互いに間隔を隔てて配置されている。したがって、フロントキャビネット２は、左右側面の各３カ所と、上側側面の５カ所との合計１１カ所で、ビス４により側方からリアフレーム１６に固定されている。
【００２９】
これらの突出部２３および係合部２４は同様の構成を有するので、図２の符号Ｐに示したＸ２方向側の突出部２３および係合部２４について詳細に説明する。なお、奥行き方向（Ｙ方向）と直交する側方がＸ方向およびＺ方向を含むので、以下では、この側方をＡ方向とし、ＸＺ面内で表示面１１ａの中央に向かう方向（Ａ２方向）を内側方向、ＸＺ面内で表示面１１ａの外側に向かう方向（Ａ１方向）を外側方向という。図３および図６ではＡ方向がＸ方向に一致する。
【００３０】
図３に示すように、突出部２３は、リアキャビネット３の内側で、かつ、外周壁部２２と表示モジュール１（液晶セル１１）との間の位置に設けられている。突出部２３は、額縁部２１との接続部分である根元部４１と、先端側の固定部４２と、根元部４１および固定部４２の間の段差部４３とを一体的に含んでいる。
【００３１】
第１実施形態では、固定部４２は、液晶セル１１よりも奥行き方向の奥側（Ｙ２方向側）の位置に配置され、液晶セル１１よりも奥側（Ｙ２方向側）の位置でビス４によりリアフレーム１６に固定されている。具体的には、固定部４２は、奥行き方向Ｙと直交する側方Ａに向かう貫通孔（ビス挿通孔）４４を有し、貫通孔４４に軸部分４ａを通過させたビス４によりリアフレーム１６に固定されるように構成されている。貫通孔４４に挿入されたビス４の軸部分４ａは、モールドフレーム１２の挿通孔１２ａをＡ２方向に通過してリアフレーム１６のねじ孔１６ａに取り付けられる。このビス４のねじ孔１６ａへの締結によって、固定部４２（すなわち、フロントキャビネット２）がリアフレーム１６に固定されている。このように、フロントキャビネット２は、ビス４（軸部分４ａ）が液晶セル１１と奥行き方向Ｙに重なる位置に配置された状態で、リアフレーム１６に締結固定されるように構成されている。
【００３２】
また、第１実施形態では、突出部２３の固定部４２は、根元部４１に対して、奥行き方向Ｙと直交する側方Ａの内側（Ａ２方向側）にずれた位置に配置されている。つまり、固定部４２のモールドフレーム１２との当接面（突出部２３の内側表面２３ａ）は、根元部４１に対して、表示モジュール１（液晶セル１１）側のＡ２方向にずれた位置に配置されている。
【００３３】
具体的には、突出部２３は、根元部４１から段差部４３までは、奥行き方向（Ｙ方向）に直線状に延びるように形成されている。この段差部４３が、液晶セル１１の配置位置よりも奥側（Ｙ２方向側）の位置において、固定部４２に向かって奥行き方向と直交する内側方向Ａ２に突出するように形成されている。段差部４３は、突出部２３において、根元部４１から液晶セル１１の配置位置までの距離Ｄ２よりも大きい距離Ｄ３（＝突出部２３の直線状部分の長さ）となる位置に配置されている。この結果、段差部４３よりも先端側の固定部４２は、根元部４１に対して間隔Ｄ１分だけ、内側にずれた位置に配置されている。段差部４３によって、表示モジュール１（モールドフレーム１２）と突出部２３との間には、幅Ｄ１、奥行きＤ３分の空間が形成されている。
【００３４】
また、段差部４３では、突出部２３の内側表面２３ａのみならず、Ａ１方向側の外側表面２３ｂも、内側方向Ａ２に突出する段差形状に形成されている。つまり、段差部４３では、突出部２３自体が段差状に屈曲している。外側表面２３ｂ側が内側方向Ａ２に距離Ｄ４だけ突出することにより、フロントキャビネット２は、突出部２３から外側方向Ａ１へのビス４の頭部４ｂの突出量（頭部４ｂの厚みｔ分の突出量）が小さくなるように構成されている。
【００３５】
また、図５に示すように、突出部２３は、係合部２４とともに額縁部２１（図３参照）から奥行き方向に延びるリブ状形状を有している。ここで、突出部２３のうち固定部４２の近傍には、突出部２３の側方Ａへの撓み変形を容易化する切欠部２５が設けられている。なお、切欠部２５は、本発明の「肉抜き部」の一例である。切欠部２５は、突出部２３と係合部２４との間に先端側から切り込みを入れるように突出部２３に設けられた切り込み形状を有する。切欠部２５は、突出部２３の先端側から段差部４３の形成位置近傍まで延びるように形成されている。これにより、突出部２３は、ビス４の締め付け時の軸線方向（内側方向）の外力によって、固定部４２を含む段差部４３から先端側の部分が側方Ａに撓み変形し易くなるように構成されている。なお、突出部２３と係合部２４とは、切欠部２５によって先端側部分で分離されている一方、根元部４１側で連続的に（一体的に）つながるように形成されている。
【００３６】
係合部２４は、図４および図５に示すように、リアフレーム１６の係合凸部１６ｂと係合することにより、ビス４による締結時のフロントキャビネット２の回転位置ずれを規制するように構成されている。すなわち、係合部２４は、ビス４の向かう方向（内側方向Ａ２）に対して右側に配置され、ビス４の回転方向Ｒに沿うフロントキャビネット２の回転（ひねり）を規制するように構成されている。図６に示すように、係合部２４は、Ｙ方向に延びるとともに、先端部に内側方向Ａ２に突出するフック２４ａを含んでいる。これに対して、リアフレーム１６の係合凸部１６ｂは、外側方向Ａ１に張り出すように形成されている。この係合部２４（フック２４ａ）と係合凸部１６ｂとが係合することによって、ビス４の軸回りの回転方向Ｒへの外力によるフロントキャビネット２の（リアフレーム１６に対する）回転ずれが規制される。
【００３７】
以上の構成によって、第１実施形態では、額縁部２１においてビス４によるフロントキャビネット２の固定のために確保される領域（表示モジュール１の外側領域）の幅がＷとなっている。この幅Ｗは、ビス４の最大外径ｄ（頭部４ｂの外径）よりも小さい。
【００３８】
次に、図７および図８を参照して、第１実施形態によるテレビジョン装置１００の作用について説明する。
【００３９】
第１実施形態によるテレビジョン装置１００のフロントキャビネット２は、樹脂成形によって形成されるので、製造時に、ある程度の外径寸法ばらつきが発生する可能性がある。狭額縁化のために寸法余裕を削減すると、外形寸法のばらつきに対する寸法余裕も小さくなる。
【００４０】
これに対して、第１実施形態では、突出部２３の先端の固定部４２によってフロントキャビネット２が固定されるとともに、先端から段差部４３の近傍位置まで延びる切欠部２５が突出部２３に設けられることによって、突出部２３の先端部（段差部４３から先端側の部分）が撓み変形し、寸法ばらつきを吸収することが可能である。
【００４１】
すなわち、図７に示すように、フロントキャビネット２が設計よりも公差範囲内で大きく仕上がった場合、ビス４によって固定部４２における内側表面２３ａの位置が決まるため、突出部２３が設計よりも外側にずれる状態（固定部４２と根元部４１とのずれＤ５が図３の間隔Ｄ１よりも大きくなる状態）となる。この場合にも、段差部４３から先端側の部分が撓み変形して、突出部２３が設計よりも外側にずれる状態（間隔Ｄ５）でフロントキャビネット２が固定される。
【００４２】
一方、図８に示すように、フロントキャビネット２が設計よりも公差範囲内で小さく仕上がった場合には、突出部２３が設計よりも内側方向Ａ２にずれる状態（固定部４２と根元部４１とのずれＤ６が図３の間隔Ｄ１よりも小さくなる状態）となる。この場合にも、段差部４３から先端側の部分が撓み変形して、突出部２３が設計よりも内側方向Ａ２にずれる状態（間隔Ｄ６）でフロントキャビネット２が固定される。また、このようにフロントキャビネット２が小さく仕上がった状態で、根元部４１の内側に空間（幅Ｄ１、奥行きＤ３分の空間、図３参照）がない場合には、フロントキャビネット２（突出部２３）がモールドフレーム１２を介して液晶セル１１を圧迫してしまう。これに対して、第１実施形態では、根元部４１の内側（Ａ２方向側）に空間が形成されているため、寸法ばらつきが発生した場合でもフロントキャビネット２がモールドフレーム１２を圧迫することが抑制される。
【００４３】
第１実施形態では、以下のような効果を得ることができる。
【００４４】
第１実施形態では、上記のように、額縁部２１から奥行き方向Ｙに延びる突出部２３をフロントキャビネット２に設けるとともに、フロントキャビネット２の突出部２３に、ビス４により内側方向（Ａ２方向）に向けてリアフレーム１６に固定される固定部４２を設けることによって、ビス４の軸線方向を額縁部２１の幅方向（Ａ方向）に向けることができるため、ビス４を奥行き方向Ｙ（前後方向）に向けて固定する場合と異なり、ビス４の頭部４ｂの外径ｄ以上の空間を額縁部２１に設ける必要がなくなる。これにより、幅Ｗの小さな空間を額縁部２１に確保するだけでフロントキャビネット２の締結固定が可能となるので、フロントキャビネット２の額縁領域を狭くすることができる。
【００４５】
また、第１実施形態では、上記のように、リアキャビネット３の内側で、かつ、外周壁部２２と液晶セル１１との間の位置に突出部２３を設ける。これにより、ビス４をＡ２方向に取り付ける構成においても、ビス４をフロントキャビネット２の外表面に露出させずに済む。すなわち、フロントキャビネット２は表示装置の化粧板としての機能を有し、表示面１１ａ側の前面および上下左右の各側面は外観デザイン上の影響が大きいため、外観に影響を及ぼすことなくフロントキャビネット２を固定できる点に利点がある。さらに、ビス４がフロントキャビネット２から誤って取り外されてしまうことを防止することができる。
【００４６】
また、第１実施形態では、上記のように、液晶セル１１よりも奥側（Ｙ２方向側）の位置に固定部４２を配置し、液晶セル１１よりも奥側の位置でリアフレーム１６に固定部４２を固定する。これにより、正面視で（Ｙ方向から見て）ビス４が液晶セル１１と重なるように、より内側（Ａ２方向側）の位置にビス４を配置することができるので、フロントキャビネット２の額縁領域をさらに狭くすることができる。
【００４７】
また、第１実施形態では、上記のように、固定部４２を、突出部２３の根元部４１に対して、Ａ２方向にずれた位置に配置する。これにより、狭額縁化のために突出部２３（根元部４１）の内側に液晶セル１１が近接して配置される場合でも、固定部４２と根元部４１とのずれ分だけ、根元部４１の内側（液晶セル１１側）に空間を確保することができる。この結果、製造時の寸法誤差などによってフロントキャビネット２の外形寸法にばらつきが生じる場合でも、組付状態で突出部２３（根元部４１）が液晶セル１１を圧迫して表示ムラなどが生じることを防ぐことができる。
【００４８】
また、第１実施形態では、上記のように、突出部２３を根元部４１からＹ方向に直線状に延びるように形成する。そして、液晶セル１１の配置位置よりも奥側（Ｙ２方向側）の位置において、固定部４２に向かってＡ２方向に突出する段差部４３を突出部２３に形成する。これにより、液晶セル１１よりも奥側の位置までは突出部２３が直線状に形成されるため、根元部４１の内側（液晶セル１１側）に確保される空間を最大限大きくすることができる。
【００４９】
また、第１実施形態では、上記のように、リブ状形状の突出部２３のうち固定部４２の近傍に、突出部２３のＡ方向への撓み変形を容易化する切欠部２５を設ける。これにより、固定部４２において突出部２３を撓み変形させた状態でフロントキャビネット２を固定することができる。この結果、突出部２３の撓み変形によってフロントキャビネット２の寸法ばらつきを吸収することができるので、精度管理に余裕を持たせて製造の容易化を図ることができる。
【００５０】
また、第１実施形態では、上記のように、切り込み形状の切欠部２５をリブ状形状の突出部２３に形成する。これにより、リブ形状の突出部２３に切欠部２５を形成するだけの簡単な構造で、寸法ばらつきを吸収するための突出部２３の撓み変形の容易化を実現することができる。
【００５１】
また、第１実施形態では、上記のように、リアフレーム１６と係合することにより、ビス４による締結時の回転位置ずれを規制する係合部２４をフロントキャビネット２に形成する。これにより、締結時の回転方向Ｒの外力によってフロントキャビネット２がビス４の回転方向Ｒに位置ずれしてしまうことを防ぐことができるので、フロントキャビネット２の側面側からビス４を取り付ける構成においても、取付作業を容易化することができる。
【００５２】
また、第１実施形態では、上記のように、突出部２３をフロントキャビネット２に一体的に形成し、貫通孔４４に軸部分４ａを通過させた状態でビス４によりリアフレーム１６に固定部４２が固定されるように構成する。これにより、フロントキャビネット２に突出部２３および固定部４２（貫通孔４４）を一体形成することができるので、たとえば突出部および固定部を有する別体の固定部材をフロントキャビネット２に取り付けるような構成と比較して、部品点数および組立工数の増大を抑制することができる。
【００５３】
（第２実施形態）
次に、図１および図９を参照して、第２実施形態について説明する。この第２実施形態では、突出部２３に段差部４３を設けた上記第１実施形態と異なり、弓なりに屈曲（湾曲）する屈曲部１４３を突出部に設けた例について説明する。なお、上記第１実施形態と同様の構成は、第１実施形態と同じ符号を付して図示するとともに説明を省略する。
【００５４】
図９に示すように、第２実施形態によるテレビジョン装置２００（図１参照）では、フロントキャビネット２の突出部１２３は、根元部４１から奥行き方向Ｙに直線状に延びるとともに、液晶セル１１の配置位置よりも奥側（Ｙ２方向側）の位置において、固定部４２に向かって奥行き方向と交差（直交）する内側方向Ａ２に屈曲する屈曲部１４３を有する。なお、テレビジョン装置２００は、本発明の「表示装置」の一例である。
【００５５】
第２実施形態では、屈曲部１４３は、固定部４２に向かう内側方向Ａ２に、弓なりに反るように屈曲（湾曲）している。この結果、屈曲部１４３よりも先端側の固定部４２は、根元部４１に対して間隔Ｄ１分だけ、内側にずれた位置に配置されている。この屈曲部１４３によって、表示モジュール１（モールドフレーム１２）と突出部１２３との間には、第１実施形態と同様の幅Ｄ１分の空間が形成されている。また、屈曲部１４３では、突出部１２３自体が弓なりに屈曲（湾曲）しており、屈曲部１４３は、内側方向へ突出量Ｄ４だけ突出している。
【００５６】
第２実施形態のその他の構成は、上記第１実施形態と同様である。
【００５７】
第２実施形態では、以下のような効果を得ることができる。
【００５８】
第２実施形態では、上記第１実施形態と同様に、ビス４の軸線方向を額縁部２１の幅方向（Ａ方向）に向けることができるため、ビス４の頭部４ｂの外径ｄ（図３参照）以上の空間を額縁部２１に設ける必要がなくなり、フロントキャビネット２の額縁領域を狭くすることができる。
【００５９】
また、第２実施形態では、上記のように、液晶セル１１の配置位置よりも奥側の位置において、固定部４２に向かって内側方向Ａ２に屈曲する屈曲部１４３を突出部１２３に形成する。これにより、液晶セル１１よりも奥側の位置までは突出部２３が直線状に形成されるため、額縁部２１において突出部２３が占める幅寸法を増大させることなく、根元部４１の内側（液晶セル１１側）に確保される空間を最大限大きくすることができる。
【００６０】
（第３実施形態）
次に、図１および図１０を参照して、第３実施形態について説明する。この第３実施形態では、切り込み形状の切欠部２５をリブ状形状の突出部２３に形成した上記第１実施形態と異なり、固定部４２の近傍に溝部２２５を突出部に設けた例について説明する。なお、上記第１実施形態と同様の構成は、第１実施形態と同じ符号を付して図示するとともに説明を省略する。溝部２２５は、本発明の「肉抜き部」の一例である。
【００６１】
図１０に示すように、第３実施形態によるテレビジョン装置３００（図１参照）では、フロントキャビネット２の突出部２２３は、根元側から先端までの全体に渡って係合部２２４と一体的に連続する大型のリブ状形状に形成されている。すなわち、上記第１実施形態の切欠部２５によって突出部２３と係合部２４とが先端側で分離されることなく、突出部２２３と係合部２２４とがつながっている。なお、テレビジョン装置３００は、本発明の「表示装置」の一例である。
【００６２】
第３実施形態では、突出部２２３のうち固定部４２の近傍には、突出部２２３の奥行き方向Ｙと交差する側方Ａへの撓み変形を容易化する溝部２２５が形成されている。具体的には、溝部２２５は、突出部２２３を側方Ａに貫通する貫通溝であり、固定部４２を取り囲むＵ字形状（矩形の一辺が欠けた形状）に形成されている。溝部２２５は、固定部４２の先端側を残して固定部４２を取り囲むように形成されている。この溝部２２５によって、固定部４２は、突出部２２３の先端側部分と接続された片持ち状に形成されている。この結果、突出部２２３は、ビス４の締め付け時の外力によって、溝部２２５に取り囲まれた固定部４２の部分が、固定部４２と突出部２２３の先端との接続部分（溝部２２５が形成されていない部分）を回動中心として側方Ａに撓み変形しやすくなるように構成されている。
【００６３】
第３実施形態のその他の構成は、上記第１実施形態と同様である。
【００６４】
第３実施形態では、以下のような効果を得ることができる。
【００６５】
第３実施形態では、上記第１実施形態と同様に、ビス４の軸線方向を額縁部２１の幅方向（Ａ方向）に向けることができるため、ビス４の頭部４ｂの外径ｄ（図３参照）以上の空間を額縁部２１に設ける必要がなくなり、フロントキャビネット２の額縁領域を狭くすることができる。
【００６６】
また、第３実施形態では、上記のように、固定部４２の近傍に形成された溝部２２５をリブ形状の突出部２２３に形成する。これにより、リブ形状の突出部２２３に溝部２２５を形成するだけの簡単な構造で、突出部２２３の撓み変形を容易化してフロントキャビネット２の寸法ばらつきを吸収することができる。また、第３実施形態では、固定部４２の周囲に形成した貫通溝からなる溝部２２５によって固定部４２が片持ち状に支持されるように突出部２２３を形成することによって、突出部２２３自体の強度（剛性）を維持したまま、固定部４２の部分だけを撓み変形させてフロントキャビネット２の寸法ばらつきを吸収することができる。
【００６７】
（第４実施形態）
次に、図１および図１１を参照して、第４実施形態について説明する。この第４実施形態では、突出部２３自体が段差状に屈曲するように段差部４３を形成した上記第１実施形態と異なり、突出部２３の内側表面２３ａ側にのみ段差部３４３を設けた例について説明する。なお、上記第１実施形態と同様の構成は、第１実施形態と同じ符号を付して図示するとともに説明を省略する。
【００６８】
図１１に示すように、第４実施形態によるテレビジョン装置４００（図１参照）では、フロントキャビネット２の突出部３２３のうち内側表面２３ａ側にのみ、液晶セル１１の配置位置（距離Ｄ２）よりも奥側の位置（距離Ｄ３）において段差部３４３が形成されている。一方、突出部３２３のうち外側表面２３ｂ側には、段差部が形成されていない。つまり、第４実施形態では、突出部２３自体が段差状に屈曲して段差部４３が形成された上記第１実施形態とは異なり、突出部３２３の内側表面２３ａ側が内側方向Ａ２に突出することにより、段差部３４３が形成されている。なお、テレビジョン装置４００は、本発明の「表示装置」の一例である。
【００６９】
この結果、突出部３２３の内側表面２３ａ側では、段差部３４３よりも先端側の固定部４２は、根元部４１に対して間隔Ｄ１分だけ内側にずれた位置に配置されている。この結果、表示モジュール１（モールドフレーム１２）と突出部３２３との間には、段差部３４３によって幅Ｄ１、奥行きＤ３分の空間が形成されている。
【００７０】
一方、外側表面２３ｂでは、突出部３２３は、根元部４１から先端の固定部４２まで、奥行き方向Ｙに直線状に延びるように形成されている。このため、第４実施形態では、ビス４の頭部４ｂが突出部２３の外側表面２３ｂよりも外側方向Ａ１に突出している。
【００７１】
第４実施形態のその他の構成は、上記第１実施形態と同様である。
【００７２】
第４実施形態では、以下のような効果を得ることができる。
【００７３】
第４実施形態では、上記第１実施形態と同様に、ビス４の軸線方向を額縁部２１の幅方向（Ａ方向）に向けることができるため、ビス４の頭部４ｂの外径ｄ（図３参照）以上の空間を額縁部２１に設ける必要がなくなり、フロントキャビネット２の額縁領域を狭くすることができる。
【００７４】
また、第４実施形態では、上記のように、根元部４１から奥行き方向に直線状に延びるように突出部３２３を形成し、液晶セル１１の配置位置（距離Ｄ２）よりも奥側の位置（距離Ｄ３）において、固定部４２に向かって内側方向Ａ２に突出する段差部３４３を突出部３２３に設ける。これにより、液晶セル１１よりも奥側の位置までは突出部２３が直線状に形成されるため、額縁部２１において突出部２３が占める幅寸法を増大させることなく、根元部４１の内側（液晶セル１１側）に確保される空間を最大限大きくすることができる。
【００７５】
なお、上記第１実施形態および第２実施形態の構成と比較すると、第４実施形態ではビス４の頭部４ｂが突出部２３の外側表面２３ｂよりも外側方向Ａ１に突出するため、第４実施形態よりも第１実施形態および第２実施形態の方が、ビス４の頭部４ｂの厚みｔ分だけ狭額縁化を図ることができる。
【００７６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７７】
たとえば、上記第１〜第４実施形態では、テレビジョン装置に本発明を適用した例を示したが、テレビジョン装置以外の表示装置に本発明を適用してもよい。
【００７８】
また、上記第１〜第４実施形態では、フロントキャビネットをリアフレームに固定した例について示したが、本発明はこれに限られない。本発明では、リアフレーム以外の内部フレームに対してフロントキャビネットを締結固定してもよい。たとえば、モールドフレームにフロントキャビネットを締結固定してもよい。
【００７９】
また、上記第１〜第４実施形態では、ビス４によってフロントキャビネットを固定する例について示したが、本発明はこれに限られない。本発明では、ボルトとナットとによりフロントキャビネットを締結固定してもよい。
【００８０】
また、上記第１〜第４実施形態では、固定部４２に貫通孔４４を設けてビス４の軸部分４ａを貫通孔４４に挿入させた例を示したが、本発明はこれに限られない。本発明では、固定部にビスの軸部分を挿入するための切欠を形成してもよい。
【００８１】
上記第１〜第４実施形態では、固定部が根元部に対して内側方向Ａ２に位置ずれするように突出部を形成した例を示したが、本発明はこれに限られない。本発明では、固定部が根元部に対して内側方向に位置ずれしなくともよい。たとえば、突出部が根元部から固定部に至るまで、奥行き方向に直線状に形成されていてもよい。
【００８２】
また、上記第１および第３実施形態では、突出部に段差部を設けた例を示し、上記第２実施形態では突出部に屈曲部を設けた例を示したが、本発明はこれに限られない。本発明では、段差部や屈曲部を設けなくともよい。たとえば突出部全体が根元部から固定部に向けて内側方向Ａ２に傾斜していてもよい。
【００８３】
また、本発明の肉抜き部の一例として、上記第１実施形態では突出部に切欠部を設けた例を示し、上記第３実施形態では突出部に溝部を設けた例を示したが、本発明はこれに限られない。本発明では、切欠部および溝部以外の肉抜き部を突出部に設けてもよい。たとえば、複数の孔部を突出部に形成したり、凹部や薄肉部を突出部に形成したりして撓み変形を容易化してもよい。
【００８４】
また、上記第１〜第４実施形態では、固定部４２を液晶セル１１よりも奥側（Ｙ２方向側）に配置した例を示したが、本発明はこれに限られない。本発明では、固定部４２を液晶セル１１と奥行き方向Ｙにおいて略同じ位置に配置してもよい。
【００８５】
また、上記第１〜第４実施形態では、突出部を外周壁部よりも内側（Ａ２方向側）に配置した例を示したが、本発明はこれに限られない。本発明では、突出部を外周壁部と一体にしてもよい。
【００８６】
また、上記第１〜第４実施形態では、表示モジュール１（リアフレーム１６）の背面側を覆うようにリアキャビネット３を構成した例を示したが、本発明はこれに限られない。リアキャビネットは、表示モジュール１（リアフレーム１６）の背面側の全体を覆うように構成されてもよいし、表示モジュール１（リアフレーム１６）の背面側の一部のみを覆うように構成されてもよい。
【００８７】
また、上記第１〜第４実施形態では、光源部１５が液晶セル１１の背面側に配置された、いわゆる直下型照明タイプの液晶テレビジョン装置の例を示したが、本発明はこれに限られない。光源部が液晶セル（導光板）の側面側に配置される、いわゆるエッジライトタイプの液晶テレビジョン装置に本発明を適用してもよい。
【００８８】
また、上記第１〜第４実施形態では、矩形枠状の樹脂成型品からなるフロントキャビネット２の例を示したが、本発明はこれに限られない。本発明では、たとえばアルミなどの金属フレームによりフロントキャビネットを構成してもよい。
【００８９】
また、上記第１〜第４実施形態では、突出部２３と係合部２４とがセットで設けられる構成の例を示したが、本発明はこれに限られない。本発明では、係合部を設けることなく、突出部のみを設けてもよい。また、複数の突出部に対して、１つの係合部を設けてもよい。
【００９０】
また、上記第１〜第４実施形態では、フロントキャビネット２を表示モジュール１に対応する矩形枠状の単一部材により形成した例を示したが、本発明はこれに限られない。本発明では、フロントキャビネットが複数の部分に分割される分割型の構造であってもよい。たとえば、４分割されたパーツを組み合わせて矩形枠状のフロントキャビネットを構成してもよい。この場合、フロントキャビネットの分割数はいくつでもよい。
【００９１】
また、上記第１〜第４実施形態では、フロントキャビネット２に、額縁部２１の外周縁部から奥行き方向（Ｙ方向）に延びる外周壁部２２を設けてリアキャビネット３の側壁部３１と連続させた例を示したが、本発明はこれに限られない。たとえば図１２に示す第１変形例によるテレビジョン装置１００ａのように、フロントキャビネット４０２の外周縁部４０３に外周縁部を設けなくともよい。この第１変形例によるテレビジョン装置１００ａでは、外周縁部４０３の奥側表面に、リアキャビネット３の側壁部３１の端面が当接し、フロントキャビネット４０２とリアキャビネット３とが連続して筐体を構成している。なお、テレビジョン装置１００ａは、本発明の「表示装置」の一例である。
【００９２】
また、図１３に示す第２変形例によるテレビジョン装置１００ｂのように、フロントキャビネット４１２の外周縁部４１３がリアキャビネット３の側壁部３１の内側に嵌り込むようにフロントキャビネットを構成してもよい。この第２変形例では、フロントキャビネット４１２の外周縁部４１３がリアキャビネット３の側壁部３１の内側面側に配置された状態で、フロントキャビネット４１２とリアキャビネット３とが連続して筐体を構成している。なお、テレビジョン装置１００ｂは、本発明の「表示装置」の一例である。
【００９３】
また、上記第１、第２および第４実施形態では、固定部が根元部に対して間隔Ｄ１分だけ内側にずれた位置に配置されることにより、突出部（根元部）とモールドフレーム１２との間に間隔Ｄ１分の空間が形成される構成の例を説明したが、本発明はこれに限られない。たとえば図１４に示す第３変形例によるテレビジョン装置１００ｃのように、固定部を内側方向Ａ２にずらす代わりに、モールドフレーム４２２側に外側方向Ａ１に向かう凸部４２３を設けてもよい。モールドフレーム４２２は、本発明の「保持部材」の一例である。また、テレビジョン装置１００ｃは、本発明の「表示装置」の一例である。
【００９４】
この第３変形例によるテレビジョン装置１００ｃでは、液晶セル１１を保持するとともに、フロントキャビネット２の内側に配置されるモールドフレーム４２２に、固定部４２に向かって外側方向Ａ１に突出する凸部４２３が設けられている。凸部４２３は、挿通孔１２ａの周囲に形成されているとともに、モールドフレーム４２２の外側表面４２４から外側方向Ａ１に距離Ｄ１分だけ突出している。なお、突出部４３０は、奥行き方向Ｙに直線状に延びる板状に形成されている。モールドフレーム４２２は、この凸部４２３が突出部４３０とＡ方向に当接することにより、突出部４３０の根元部４１に対して外側表面４２４が内側方向Ａ２に間隔Ｄ１だけ離間した状態で配置されている。この結果、第３変形例によるテレビジョン装置１００ｃでは、上記第１、第２および第４実施形態と同様に、突出部４３０（根元部４１）とモールドフレーム４２２との間に間隔Ｄ１分の空間が形成されている。
【００９５】
これにより、第３変形例では、狭額縁化のために突出部４３０（根元部４１）の内側にモールドフレーム４２２が近接して配置される場合でも、モールドフレーム４２２が根元部４１から離間する分（すなわち、凸部４２３の突出量Ｄ１）だけ、根元部４１の内側（モールドフレーム４２２側）に空間を確保することができる。この結果、製造時の寸法誤差などによってフロントキャビネット２の外形寸法にばらつきが生じる場合でも、組付状態で突出部４３０（根元部４１）がモールドフレーム４２２を介して液晶セル１１を圧迫して表示ムラなどが生じることを防ぐことができる。
【符号の説明】
【００９６】
２、４０２、４１２  フロントキャビネット
３  リアキャビネット
４  ビス（締結部材）
４ａ  軸部分
１１  液晶セル（表示部）
１１ａ  表示面
１２、４２２  モールドフレーム（保持部材）
１６  リアフレーム（内部フレーム）
２１  額縁部
２２  外周壁部（外周縁部）
２３、１２３、２２３、４３０  突出部
２４  係合部
２５  切欠部（肉抜き部）
４１  根元部
４２  固定部
４３、３４３  段差部
４４  貫通孔
１００、１００ａ、１００ｂ、１００ｃ、２００、３００、４００  テレビジョン装置（表示装置）
１４３  屈曲部
２２５  溝部（肉抜き部）
４０３、４１３  外周縁部
４２２  凸部
Ｙ  奥行き方向
Ａ  側方
Ａ２  内側方向
【図１】
2015125422.tif 000003
【図２】
2015125422.tif 000004
【図３】
2015125422.tif 000005
【図４】
2015125422.tif 000006
【図５】
2015125422.tif 000007
【図６】
2015125422.tif 000008
【図７】
2015125422.tif 000009
【図８】
2015125422.tif 000010
【図９】
2015125422.tif 000011
【図１０】
2015125422.tif 000012
【図１１】
2015125422.tif 000013
【図１２】
2015125422.tif 000014
【図１３】
2015125422.tif 000015
【図１４】
2015125422.tif 000016